(57)【要約】【課題】カメラの位置位置を被写体に対し遠近調整あるいは左右調整可能とするのに容易迅速に調整作業をすることができるカメラ設置台を提案する。【解決手段】三脚Ａを取り付ける長方形板状の三脚取付フレーム１とフレーム１の長手方向の両端部に上向きに設けたガイドフレーム２，２とからなる三脚取付基台３と、カメラＣを取り付けるためのカメラ取付フレーム４であって三脚取付フレーム１よりも長手方向に長い長方形板状のカメラ取付フレーム４とフレーム４の長手方向両端部に下向きに設けたガイドロッド取付フレーム５，５と取付フレーム５，５にその両端部が取り付けられて取付基台３のガイドフレーム２，２に貫設した一対のガイド孔６，６に挿通される一対のガイドロッド７，７とからなるカメラ取付基台８と、からなる。【選択図】        図１
2004191497.tif 000002
【特許請求の範囲】
【請求項１】
カメラ設置用三脚とカメラとの間に介在するカメラ設置台であって、
三脚を取り付ける長方形板状の三脚取付フレームと該フレームの長手方向の両端部に上向きに設けたガイドフレームとからなる三脚取付基台と、
カメラを取り付けるためのカメラ取付フレームであって前記三脚取付フレームよりも長手方向に長い長方形板状のカメラ取付フレームと該フレームの長手方向両端部に下向きに設けたガイドロッド取付フレームと該取付フレームにその両端部が取り付けられて前記取付基台のガイドフレームに貫設した一対のガイド孔に挿通される一対のガイドロッドとからなるカメラ取付基台と、からなり、
カメラ取付基台は、前記ガイドロッドが挿通するガイドフレームのガイド孔にガイドされて三脚取付基台に対して長手方向に摺動可能となっている
カメラ設置台。
【請求項２】
前記カメラ取付基台のカメラ取付フレームに該フレームの長手方向に長い長孔を貫設し、該長孔にカメラ取付用ボルトを挿通して、カメラをカメラ取付フレームの長手方向に沿う向きに取り付けるようになっている請求項１に記載のカメラ設置台。
【請求項３】
前記長孔にカメラ取付用ボルトを挿通して、カメラをカメラ取付フレームの長手方向に直交する向きに取り付けるようになっている請求項１に記載のカメラ設置台。
【請求項４】
前記長孔は前記カメラ取付基台のカメラ取付フレームの両端部付近に夫々貫設してなる請求項２に記載のカメラ設置台。
【請求項５】
カメラをカメラ取付フレームの長手方向に直交する向きにを取り付ける際に、カメラ取付フレームの両端部付近に貫設した長孔を利用して、２台のカメラを取り付けるようにした請求項４に記載のカメラ設置台。
【請求項６】
カメラ取付基台を三脚取付基台に対して摺動操作するための把手を該取付基台に設けてなる請求項１〜５の何れかに記載のカメラ設置台。
【請求項７】
カメラ取付基台を三脚取付基台の長手方向の所望の位置にセットするためのセットネジを三脚取付基台に設けてなる請求項１〜６の何れかに記載のカメラ設置台。
【請求項８】
前記セットネジは一対設けられ、そのうち一方のセットネジは、三脚取付基台を構成する三脚取付フレームの長手方向両端部に設けた一方のガイドフレームの前側面に設けられ、他方のセットネジは他方のガイドフレームの後側面に設けられてなる請求項７に記載のカメラ設置台。
【発明の詳細な説明】
【０００１】
【発明の属する技術分野】
本発明は、カメラ設置用三脚にカメラを設置する際に、カメラの位置を被写体に対し遠近調整あるいは左右調整可能とするためのカメラ設置台に関する。
【０００２】
【従来の技術】
カメラ設置用三脚にカメラを設置して、被写体を撮影する際に、該被写体に対して焦点を合わしたり、被写体に対する撮影角度等を調整するためにカメラの設置位置を被写体に対して遠近調整したり、左右にカメラの位置に調整する必要があるが、この作業のためには、カメラを三脚に設置した状態で、三脚自体を遠近方向またはこれに直交する左右方向に移動させなけれれならない。そのためその作業が面倒で、また焦点合わせを正確におこなうために度々三脚を移動させなければならないから、一層作業能率が悪いという難点があった。
【０００３】
本発明は、この難点を解消して、カメラ設置用三脚を何ら移動させることなくカメラの位置を被写体に合わせて遠近調整、あるいはこれに直交する左右方向に簡単に調整することが可能なカメラ設置台を提案することを目的とするものである。
【０００４】
【課題を解決するための手段】
上記課題を解決するため、請求項１に係る発明は、参照符号を付して示せば、カメラ設置用三脚ＡとカメラＣとの間に介在するカメラ設置台であって、三脚Ａを取り付ける長方形板状の三脚取付フレーム１と該フレーム１の長手方向の両端部に上向きに設けたガイドフレーム２，２とからなる三脚取付基台３と、カメラＣを取り付けるためのカメラ取付フレーム４であって前記三脚取付フレーム１よりも長手方向に長い長方形板状のカメラ取付フレーム４と該フレーム４の長手方向両端部に下向きに設けたガイドロッド取付フレーム５，５と該取付フレーム５，５にその両端部が取り付けられて前記取付基台３のガイドフレーム２，２に貫設した一対のガイド孔６，６に挿通される一対のガイドロッド７，７とからなるカメラ取付基台８と、からなり、カメラ取付基台８は、前記ガイドロッド７，７が挿通するガイドフレーム２，２のガイド孔６，６にガイドされて三脚取付基台３に対して長手方向に摺動可能となっている構成からなるものである。
【０００５】
また請求項２に係る発明は、前記カメラ取付基台８のカメラ取付フレーム４に該フレーム４の長手方向に長い長孔９を貫設し、該長孔９にカメラ取付用ボルト１０を挿通して、カメラＣをカメラ取付フレーム４の長手方向に沿う向きに取り付けるようになっている請求項１に記載の構成からなるものである。
【０００６】
また請求項３に係る発明は、前記長孔９にカメラ取付用ボルト１０を挿通して、カメラＣをカメラ取付フレーム４の長手方向に直交する向きに取り付けるようになっている請求項１に記載の構成からなるものである。
【０００７】
また請求項４に係る発明は、前記長孔９は前記カメラ取付基台８のカメラ取付フレーム４の両端部付近に夫々貫設してなる請求項２に記載の構成からなるものである。
【０００８】
また請求項５に係る発明は、カメラＣをカメラ取付フレーム４の長手方向に直交する向きにを取り付ける際に、カメラ取付フレーム４の両端部付近に貫設した長孔９，９を利用して、２台のカメラＣ，Ｃを取り付けるようにした請求項４に記載のカメラ設置台。
【０００９】
また請求項６に係る発明は、カメラ取付基台８を三脚取付基台３に対して摺動操作するための把手１１を該取付基台３に設けてなる請求項１〜５の何れかに記載の構成からなるものである。
【００１０】
また請求項７に係る発明は、カメラ取付基台８を三脚取付基台３の長手方向の所望の位置にセットするためのセットネジ１２を三脚取付基台３に設けてなる請求項１〜６の何れかに記載の構成からなるものである。
【００１１】
また請求項８に係る発明は、前記セットネジ１２は一対設けられ、そのうち一方のセットネジ１２（１２ａ）は、三脚取付基台３を構成する三脚取付フレーム１の長手方向両端部に設けた一方のガイドフレーム２（２ａ）の前側面に設けられ、他方のセットネジ１２（１２ｂ）は他方のガイドフレーム２（２ｂ）の後側面に設けられてなる請求項７に記載の構成からなるものである。
【００１２】
【発明の実施の形態】
以下、本発明の一実施形態を図面によって説明すると、図１は本発明の一実施形態の使用状態を示す斜視図で、図２は図１のＡーＡ線断面図であり、カメラ設置用三脚Ａの上端部の取付台Ａ１に、本発明の一実施形態のカメラ設置台を介してカメラＣを設置するようになっている。
【００１３】
本発明に係るカメラ設置台は、三脚取付基台３とカメラ取付基台８とからなり、このうち、三脚取付基台３は、三脚Ａの取付台Ａ１側からそれに設けられている嵌合孔Ａ２を介して三脚取付用ボルト１３をそのつまみ１３ａ（図２）を掴んでねじ込むためのねじ孔１４を設けた長方形板状の三脚取付フレーム１と、該フレーム１の長手方向の両端部に上向きに設けたガイドフレーム２，２とからなる。なお、図２に示すように、ねじ孔１４の横側に径の小さなねじ孔１４ａが設けられているが、これは三脚Ａの種類によっては径の小さなねじ孔１４ａに三脚取付用ボルト１３がねじ込まれる場合があるからである。
【００１４】
また、カメラ取付基台８は、カメラＣを取り付けるためのカメラ取付フレーム４であって前記三脚取付フレーム１よりも長手方向に長い長方形板状のカメラ取付フレーム４と該フレーム４の長手方向両端部に下向きに設けたガイドロッド取付フレーム５，５と該取付フレーム５，５にその両端部が取り付けられて前記取付基台３のガイドフレーム２，２に貫設した一対のガイド孔６，６に挿通される一対のガイドロッド７，７とからなる。
【００１５】
これらの構成によって、カメラ取付基台８は、前記ガイドロッド７，７が挿通するガイドフレーム２，２のガイド孔６，６にガイドされて三脚取付基台３に対して長手方向に摺動可能になっている。
【００１６】
図１〜図４においては、カメラＣは、その向きがカメラ取付フレーム４の長手方向に沿う向きに取り付けるようになっている状態を示す。即ち、図２及び図３に示すように、カメラ取付フレーム４の両端部付近に該フレーム４の長手方向に長い長孔９が貫設され、該長孔９に、図２に示すように、カメラ取付用ボルト１０を挿通して、カメラＣをカメラ取付フレーム４の長手方向に沿う向くようにした状態で、該カメラ取付用ボルト１０をそのつまみ１０ａを掴んでカメラＣに設けてある取付ねじＣ１（図２）にねじ込み取り付けられるようになっている。
【００１７】
図４は、このようしてカメラ取付基台８に取り付けられたカメラＣを三脚取付基台３に対して、矢印で示すように長手方向に移動調整するようにして使用する状態を示す。この際に三脚取付基台３を移動操作するための把手１１がカメラ取付基台８のカメラ取付フレーム４の一端部に設けられている。
【００１８】
従って、使用者は、図示しない被写体に対してカメラＣを遠近調整するためには、把手１１を握ってカメラ取付基台８を、該基台側のガイドロッド７，７と、これが挿通される三脚取付基台３側のガイド孔６，６とにガイドされて、三脚取付基台３の長手方向に沿って被写体に対する焦点が合う位置まで摺動させればよい。
【００１９】
三脚取付基台３にはガイドロッド７，７の側面を押圧してロックするセットネジ１２が設けられており、このセットネジ１２は、図３に示すように一対設けられ、そのうち一方のセットネジ１２（１２ａ）は、三脚取付基台３を構成する三脚取付フレーム１の長手方向両端部に設けた一方のガイドフレーム２（２ａ）の前側面に設けられ、他方のセットネジ１２（１２ｂ）は他方のガイドフレーム２（２ｂ）の後側面に設けられてなる。
【００２０】
従って、上記のようにカメラＣの焦点が決まれば、その位置で何れかのセットネジ１２をねじ込んでガイドロッド７，７をロックし、カメラＣが移動しないようにセットすればよいが、本発明の実施形態では、特に一対のセットネジ１２ａ，１２ｂを上記の配置で設けられているため、例えば遠近調整する際には、操作のし易い一方側のセットネジ１２ａをねじ込むようにすればより迅速容易に操作することができる。
【００２１】
なお、カメラ取付フレーム４に設けられる長孔９は該フレーム４の長手方向に長く設けられているから、該長孔９を通してカメラ取付用ボルト１０によってカメラＣを取り付ける際に、カメラ取付基台８を移動調整して所望位置にセットしたのちに、該カメラ取付用ボルト１０を長孔９に沿って遠近移動してカメラＣの取付位置を微調整することができる。
【００２２】
図５及び図６は、カメラ取付フレーム４に貫設した長孔９にカメラ取付用ボルト１０を挿通して、カメラＣをカメラ取付フレーム４の長手方向に直交する向きに取り付けるようにした使用例を示すもので、この際に、カメラ取付フレーム４の両端部付近に貫設した長孔９，９を利用して、２台のカメラＣ，Ｃを取り付けるようにすることもできる。
【００２３】
従って、図６に示すように、使用者は、図示しない被写体に対してカメラ取付基台８に取り付けた１台又は２台のカメラＣを左右の方向に移動調整するためには、把手１１を握ってカメラ取付基台８を、該基台側のガイドロッド７，７と、これが挿通される三脚取付基台３側のガイド孔６，６とにガイドされて、三脚取付基台３の左右長手方向に沿って被写体に対する撮影角度等が合う位置まで摺動させればよい。そして、カメラＣの左右の取付位置が決まれば、その位置でセットネジ１２をねじ込んでガイドロッド７，７をロックし、カメラＣが移動しないようにセットし、その後に必要であれば、カメラ取付用ボルト１０を長孔９に沿って左右に移動してカメラＣの取付位置を微調整することもできる。
【００２４】
そして、この際にも、本発明の実施形態では、特に一対のセットネジ１２ａ，１２ｂを上記の配置で設けられているため、例えば左右の調整する際には、操作のし易い他方側のセットネジ１２ｂをねじ込むようにすればより迅速容易に操作することができる。
【００２５】
【発明の効果】
請求項１に係る発明によれば、三脚はカメラとの間にカメラ設置台を介在することによって、被写体に対する焦点合わせや撮影角度の調整のために、カメラ自体或いはカメラを設置した三脚を一々移動させる必要がなく、単にカメラ設置台を構成するカメラ取付基台を三脚取付基台に対してその長手方向に移動操作するだけでよいから、カメラの被写体に対する設置位置の調整を迅速容易に行うことができる。
【００２６】
しかも、カメラ設置台は、三脚を取り付ける長方形板状の三脚取付フレームと該フレームの長手方向の両端部に上向きに設けたガイドフレームとからなる三脚取付基台と、カメラを取り付けるためのカメラ取付フレームであって前記三脚取付フレームよりも長手方向に長い長方形板状のカメラ取付フレームと該フレームの長手方向両端部に下向きに設けたガイドロッド取付フレームと該取付フレームにその両端部が取り付けられて前記取付基台のガイドフレームに貫設した一対のガイド孔に挿通される一対のガイドロッドとからなるカメラ取付基台と、からなり、カメラ取付基台は、前記ガイドロッドが挿通するガイドフレームのガイド孔にガイドされて三脚取付基台に対して長手方向に摺動可能となっているため、カメラを取り付けるカメラ取付基台はそのカメラ取付フレームが、三脚取付基台の三脚取付フレームに一対のガイドフレームとこれに挿通する一対のガイドロッドによって安定よく支持され、がたつきや動揺することなく使用することができる。
【００２７】
また請求項２に係る発明によれば、前記カメラ取付基台のカメラ取付フレームの両端部付近に該フレームの長手方向に長い長孔を貫設し、該長孔にカメラ取付用ボルトを挿通して、カメラをカメラ取付フレームの長手方向に沿う向きに取り付けるようになっているため、使用者は、図示しない被写体に対してカメラを遠近調整するためには、カメラ取付基台を、三脚取付基台に対して、その長手方向に沿って被写体に対する焦点が合う位置まで摺動させればよく、その撮影作業を正確に且つ迅速容易に行うことができると共に、カメラ取付用ボルトを長孔に沿って遠近移動してカメラの取付位置を微調整することができるからより一層正確に撮影作業を行うことができる。
【００２８】
また請求項３乃至５に係る発明によれば、前記長孔にカメラ取付用ボルトを挿通して、カメラをカメラ取付フレームの長手方向に直交する向きに取り付けるようになっているため、使用者は、図示しない被写体に対してカメラ取付基台に取り付けた１台又は２台のカメラを左右の方向に移動調整するためには、カメラ取付基台を、三脚取付基台に対して、その左右長手方向に沿って被写体に対する撮影角度等が合う位置まで摺動させればよく、その撮影作業を正確に且つ迅速容易に行うことができると共に、カメラ取付用ボルトを長孔に沿って遠近移動してカメラの取付位置を微調整することができるからより一層正確に撮影作業を行うことができる。
【００２９】
また請求項６に係る発明によれば、カメラ取付基台を三脚取付基台に対して摺動操作するための把手を該取付基台に設けてなるため、カメラ取付基台を三脚取付基台に沿って移動調整する際に把手を握ってカメラ取付基台を移動操作することができるからカメラ操作を容易迅速に行うことができる。
【００３０】
また請求項７に係る発明によれば、カメラ取付基台を三脚取付基台の長手方向の所望の位置にセットするためのセットネジを三脚取付基台に設けてなるため、カメラの調整した設置位置を確実に維持して正確な撮影を行うことができる。
【００３１】
また請求項８に係る発明によれば、前記セットネジは一対設けられ、そのうち一方のセットネジは、三脚取付基台を構成する三脚取付フレームの長手方向両端部に設けた一方のガイドフレームの前側面に設けられ、他方のセットネジは他方のガイドフレームの後側面に設けられてなるため、遠近調整或いはこれに直交する左右調整の際に、そのセット位置を何れかセット調整作業の容易な位置のセットネジをねじ込めばよいから、この面からも調整作業を容易迅速に行うことができる。
【図面の簡単な説明】
【図１】本発明の一実施形態を示す斜視図であり、その使用状態の一例を示す図である。
【図２】図１のＡーＡ線断面図である。
【図３】同一部横断平面図である。
【図４】同使用状態の一例を示す平面図である。
【図５】本発明の他の使用状態を示す斜視図である。
【図６】同使用状態を示す平面図である。
【符号の説明】
Ａ        カメラ設置用三脚
Ｃ        カメラ
１        三脚取付フレーム
２        ガイドフレーム
３        三脚取付基台
４        カメラ取付フレーム
５        ガイドロッド取付フレーム
６        ガイド孔
７        ガイドロッド
８        カメラ取付基台
９        長孔
１０      カメラ取付用ボルト
１１      把手
１２      セットネジ
【図１】
2004191497.tif 000003
【図２】
2004191497.tif 000004
【図３】
2004191497.tif 000005
【図４】
2004191497.tif 000006
【図５】
2004191497.tif 000007
【図６】
2004191497.tif 000008